(57)【特許請求の範囲】
【請求項１】
各々に制御端末を接続した複数台の中央監視制御盤を、通信ネットワークを介して接続した構成の中央監視制御システムであって、各中央監視制御盤は、アドレスが割り当てられ、制御コマンドのそれぞれについて、該制御コマンドを実行するか否かが、該制御コマンドの発信元となる中央監視制御盤のアドレスごとに予め登録されており、
任意の１台の中央監視制御盤から上記制御コマンドを通信ネットワークに発信し、中央監視制御盤のそれぞれは該制御コマンドを受信すると、発信元のアドレスに基づいて該制御コマンドを実行または無視し、該制御コマンドを実行した中央監視制御盤は、制御後の監視結果を通信ネットワークに発信することにより、通信ネットワークを通じた制御端末の監視制御を実行可能としたことを特徴とする中央監視制御システム。
【請求項２】
請求項１において、任意の１台の中央監視制御盤からトラブル信号を発信して、他の中央監視制御盤によるトラブル処理を実行可能としたことを特徴とする中央監視制御システム。
【請求項３】
請求項１において、通信端末より、上記通信ネットワークを介して、中央監視制御盤のプログラムの書き換えを可能としたことを特徴とする中央監視制御システム。
【請求項４】
請求項１において、通信端末より、上記通信ネットワークを介して、中央監視制御盤のプログラムをユーザに応じた機能で動作させるための初期設定データの書き換えを可能としたことを特徴とする中央監視制御システム。
【発明の詳細な説明】
【０００１】
【発明の属する技術分野】
本発明は、中央監視制御盤を通信ネットワークを介して接続した構成の中央監視制御システムに関する。
【０００２】
【従来の技術】
図７（ａ）に示すように、中央監視制御盤１０１は制御端末１０２を接続しており、単体での動作が可能であった。中央監視制御盤１０１は、多重伝送が５ポートまで可能であるが、１つの盤で構成する必要があり、分散設置が不可能であった。ここに、１つの盤で伝送線を最大５つ管理するケースがあり、一部の故障で５つの伝送線全体が停止する可能性もあり、影響が大きいため、分散設置（危険分散、分散設置）を行う必要が生じていた。
【０００３】
また、図７（ｂ）に示すように、照明コントロールユニット（ＬＣＵ）では、照明を制御するローカルユニットをネットワーク化するためのネットワークコントロールユニット（ＮＣＵ）が必要であり、制御スピード面や、ネットワークを集中的にコントロールしているＮＣＵが機能停止に陥ると、ネットワーク全体（システム）が機能停止に陥り動作しなくなるという信頼性面での弱点があった。
【０００４】
また、本体のプログラムは中央監視制御盤本体のボードにＲＯＭを搭載しており、物理的に搭載されたＲＯＭを抜き、取り替える必要があった。また、本体に設定する初期設定データは中央監視制御盤本体のＦＤＤ装置よりフロッピディスクより注入する必要があった。
【０００５】
【発明が解決しようとする課題】
本発明は、このような事情を考慮してなされたものであり、任意の１台の中央監視制御装置の操作で、複数の中央監視制御盤にて管理された制御端末を監視制御できる中央監視制御システムを提供することを目的としている。また、中央監視制御盤のプログラムの書き換えが容易にできる中央監視制御システムを提供することも第２の目的としている。
【０００６】
【課題を解決するための手段】
上記目的を達成するために、本発明の請求項１に記載の中央監視制御システムは、各々に制御端末を接続した複数台の中央監視制御盤を、通信ネットワークを介して接続した構成の中央監視制御システムであって、各中央監視制御盤は、アドレスが割り当てられ、制御コマンドのそれぞれについて、該制御コマンドを実行するか否かが、該制御コマンドの発信元となる中央監視制御盤のアドレスごとに予め登録されており、任意の１台の中央監視制御盤から上記制御コマンドを通信ネットワークに発信し、中央監視制御盤のそれぞれは該制御コマンドを受信すると、発信元のアドレスに基づいて該制御コマンドを実行または無視し、該制御コマンドを実行した中央監視制御盤は、制御後の監視結果を通信ネットワークに発信することにより、通信ネットワークを通じた制御端末の監視制御を実行可能としたことを特徴とする。
【０００７】
請求項２に記載の中央監視制御システムは、任意の１台の中央監視制御盤からトラブル信号を発信して、他の中央監視制御盤によるトラブル処理を実行可能としたことを特徴とする。
【０００８】
請求項３に記載の中央監視制御システムは、通信端末より、通信ネットワークを介して、中央監視制御盤のプログラムの書き換えを可能としたことを特徴とする。
【０００９】
請求項４に記載の中央監視制御システムは、通信端末より、通信ネットワークを介して、中央監視制御盤のプログラムをユーザに応じた機能で動作させるための初期設定データの書き換えを可能としたことを特徴とする。
【００１０】
【発明の実施の形態】
以下に、本発明の実施の形態について、図面とともに説明する。図１は、中央監視制御システムの構成の一例を示した図である。以下には、照明制御について説明する。（ａ）は制御装置の構成を示したブロック図であり、メインＣＰＵ１０と伝送ドライバ１１とメモリ１２とを備えている。メモリ１２には、共有情報を含めて、必要な照明制御情報を記憶している。このような構成をすべての中央監視制御盤１に備えることによって、ネットワーク上の全情報を必要に応じて解読して認識することができる。
【００１１】
ここに中央監視制御盤１とは、動力制御等を行う本体に付随して、ＬＣＤ等の表示機能、タッチパネルなどの操作機能、プリンタなどの印字機能、ＦＤＤなどのデータ設定機能などのマンマシンインタフェースを備える制御装置である。
【００１２】
本発明の中央監視制御システムは、（ｂ）に示すように、各々に制御端末２を接続した複数台の中央監視制御盤１を、ネットワークコントロールユニットを介することなく、通信ネットワークＬを介して接続した構成になっている。
【００１３】
各中央監視制御盤１は、互いに監視制御情報を参照できるようになっており、任意の１台の中央監視制御盤１から制御コマンドを発信して、他の中央監視制御盤１の監視制御を実行可能としている。
【００１４】
中央監視制御盤１をまたがる照明制御情報は、例えば、中央監視制御盤アドレス２から中央監視制御盤１をまたがるパターンＮの制御について、中央監視制御盤アドレス２は、制御対象／状態監視対象を中央監視制御盤アドレス１，３，５，７のアドレスであると設定されている。そして、順次以下の動作を実行する。
【００１５】
１）制御指令：パターンＮ制御発信（全アドレス）、２）制御実施：中央監視制御盤アドレス１，３，５，７のパターンＮ、３）監視実施：中央監視制御盤１，３，５，７のパターンＮの情報を集めて編集
したがって、照明制御情報とは、中央監視制御盤アドレスＭが中央監視制御盤をまたがるパターンＮの制御について、対象とする中央監視制御盤アドレス（１，３，５，７）と、各中央監視制御盤アドレス（１，３，５，７）のパターンＮの制御情報／状態監視情報により構成された情報群をいう。
【００１６】
中央監視制御盤１をまたがるパターン制御を可能にするので、例えば、システムパターン１の制御画面からオン制御を実行すると、アドレス１のパターン５，６とアドレス２のパターン７，８が制御され、監視もできる。
【００１７】
システム連動用画面で行う制御は、全中央監視制御盤での共通の制御となる。また、該当する中央監視制御盤１の制御をするか、しないかは予め設定されている。すなわち、照明制御の制御単位であるパターン制御Ｎ個の１つ１つに対して、中央監視制御盤アドレスＭからの制御指令を実行するかどうかを、中央監視制御盤１のアドレスごとに決めている。これは、通信もしくはＬＣＤ画面操作によって、制御装置内のメモリ１２に設定される。中央監視制御盤１が該当するか該当しないかは、照明制御の制御単位であるパターン制御Ｎ個の１つ１つに対して、中央監視制御盤アドレスごとに決められる。
【００１８】
図２に示すように、まず、１）ＬＣＤ画面（システム連動用画面）によるパターンＮ制御操作をすると、２）ネットワーク上にパターンＮ制御コマンド発信する（全中央監視制御盤向け）。
【００１９】
３）全中央監視制御盤はネットワーク上からパターンＮ操作を受信する。４）該当すればパターンＮの制御を実施する一方、該当しなければ無視する。５）該当していれば、制御後の監視結果をネットワーク上に発信する（全中央監視制御盤向け）。メモリ部に監視結果を格納する。そして、６）パターンＮ監視結果を受信しメモリに格納する。７）全中央監視制御盤のパターンＮ監視結果を編集しＬＣＤに表示する。
【００２０】
また、本発明の中央監視制御システムは、各々に制御端末２を接続した複数台の中央監視制御盤１を、通信ネットワークを介して接続した構成であって、任意の１台の中央監視制御盤１から停電、火災などのトラブル信号を発信して、他の中央監視制御盤１のトラブル処理を実行可能としている。
【００２１】
中央監視制御盤１は、１）火災信号を確認すると、２）ネットワーク上に火災信号を発信する（全中央監視制御盤向け）。全中央監視制御盤１は、３）ネットワーク上から火災信号を受信すると、４）火災信号によるトラブル処理を実施し、５）その実施結果を発信する。６）その実施結果を受けた中央監視制御盤１は、全中央監視制御盤１のトラブル処理実施結果を編集しＬＣＤに表示する。
【００２２】
ここに、トラブル処理とは、主に避難用経路の照明の点灯、避難経路の誘導灯の点灯、各種負荷に対し設定された制御（ＯＮ／ＯＦＦ）の実施などがある。
【００２３】
以上のことから、本発明システムによれば、現場にて、任意の１台の中央監視制御盤１による画面制御操作で、複数の中央監視制御盤１にて管理された端末器（２５６端末器×Ｎ）を監視制御でき、全負荷の制御もその１台でできるなど、操作性が大幅に向上する。
【００２４】
また、現場にて、任意の１台の中央監視制御盤１による重要情報（停電／火災情報など）をネットワークを介して、全中央監視制御盤１に通知できることで施工性の向上、トラブル処理の迅速化がはかれる。
【００２５】
次に、図４に、中央監視制御システムの別の構成を示す。中央監視制御盤１を通信ネットワークＬ１を介して、通信端末であるパソコン３に接続する。パソコン３から、通信ネットワークＬ１を介して、中央監視制御盤１のプログラムの書き換えを可能としている。また、中央監視制御盤１のプログラムをユーザに応じた機能で動作させるための初期設定データの書き換えを可能としている。
【００２６】
これによって、管理パソコン３がある１ヶ所から、通信ネットワークＬ１を介して、中央監視制御盤１にアプリケーションプログラムの注入、初期設定データの注入が可能になり、設置場所に行く必要もなく、ソフト不具合などによるプログラム入れ替え作業が大幅に低減できる。
【００２７】
図５には、中央監視制御盤１の制御装置の内部構成の一例を示しており、メインＣＰＵ１０と、伝送ドライバ１１と、フラッシュメモリ１３とで構成されている。フラッシュメモリ１３は書き換え可能になっており、基本プログラム１３ａと、プログラム１３ｂと、初期設定データ１３ｃとを格納している。
【００２８】
図６には、システムの動作の一例を示している。まず、パソコン３から１）プログラム入れ替えコマンド（もしくは初期設定データ入れ替えコマンド）を発信する。２）全中央監視制御盤１はネットワーク上への通常コマンドの発信を禁止する。次いで、３）フラッシュメモリエリアのプログラム部１３ｂ（もしくは初期設定データ部１３ｃ）を消去し、４）消去完了の通知を発信する。
【００２９】
パソコン３では、消去完了通知を受けると、５）該当の中央監視制御盤１にプログラム（もしくは初期設定データ）を発信する。中央監視制御盤１では、６）プログラム（もしくは初期設定データ）を受信し、該当のフラッシュメモリのプログラム１３ｂ（もしくは初期設定データ１３ｃ）領域に格納し、７）格納完了を通知する。パソコン３では、プログラム（もしくは初期設定データ）のすべての送信が完了するまで、８）上記５）〜７）の動作を繰り返し、送信が完了すると９）送信完了通知を送信する。
【００３０】
中央監視制御盤１では、送信完了通知を受けると、１０）フラッシュメモリ１３のチェックサムを算出し、１１）チェックサムを返信する。パソコン３側では、１２）チェックサムを照合し、１３）正常であれば完了通知を送出し、異常であれば、プログラム入れ替えコマンドの発信からの動作を繰り返す。中央監視制御盤１では完了通知を受けると、１４）全中央監視制御盤１は、ネットワーク上への通常コマンドの発信を許可する。
【００３１】
【発明の効果】
以上の説明からも理解できるように、本発明の請求項１に記載の中央監視制御システムでは、任意の１台の中央監視制御盤から制御コマンドを発信して、他の中央監視制御盤の監視制御を実行可能としているので、現場にて、任意の１台の中央監視制御盤による画面制御操作で、複数の中央監視制御盤にて管理された端末器を監視制御でき、全負荷の制御もその１台でできるなど、操作性が大幅に向上する。
【００３２】
請求項２に記載の中央監視制御システムは、任意の１台の中央監視制御盤からトラブル信号を発信して、他の中央監視制御盤のトラブル処理を実行可能としているので、現場にて、任意の１台の中央監視制御盤による重要情報をネットワークを介して、全中央監視制御盤に通知できることで施工性の向上、トラブル処理の迅速化がはかれる。
【００３３】
請求項３に記載の中央監視制御システムは、通信端末より、通信ネットワークを介して、中央監視制御盤のプログラムの書き換えを可能としたので、設置場所に行く必要もなく、ソフト不具合などによるプログラム入れ替え作業が大幅に低減できる。
【００３４】
請求項４に記載の中央監視制御システムは、通信端末より、通信ネットワークを介して、中央監視制御盤のプログラムをユーザに応じた機能で動作させるための初期設定データの書き換えを可能としたので、設置場所に行く必要もなく、ソフト不具合などによるデータ入れ替え作業が大幅に低減できる。
【図面の簡単な説明】
【図１】本発明の中央監視制御システムの構成の一例を示す図である。
【図２】本発明の中央監視制御システムの動作の一例を示す図である。
【図３】本発明の中央監視制御システムの動作の他の例を示す図である。
【図４】本発明の中央監視制御システムの構成の他の例を示す図である。
【図５】本発明の中央監視制御システムの内部構成の一例を示す図である。
【図６】本発明の中央監視制御システムの動作の他の例を示す図である。
【図７】従来の中央監視制御システムの構成の例を示す図である。
【符号の説明】
１    中央監視制御盤
２    制御端末
３    パソコン
Ｌ，Ｌ１  通信ネットワーク
【図１】
0004719993.tif 000002
【図２】
0004719993.tif 000003
【図３】
0004719993.tif 000004
【図４】
0004719993.tif 000005
【図５】
0004719993.tif 000006
【図６】
0004719993.tif 000007
【図７】
0004719993.tif 000008